(57)【要約】【課題】通信ネットワークに接続された各ユーザーの情報機器により該ユーザーが簡易な手段でもって各方面の販売会社から間接副資材を合理的な価格で選定しかつ発注できるシステムの技術を提供する。【解決手段】当該各メーカー５は完成品又は半製品等種々の形態で当該間接副資材に係る一切の製品を生産するものである。そして、当該間接副資材又はその部品に係る情報を大規模総合商社７つまり卸売会社から得て各ユーザー１０、特にエンドユーザーの発注に応じて当該間接副資材やその部品等を販売する販売代理店や販売会社８は、間接副資材やその部品に関し印刷物、特にカタログにしたものをデータとして保存するカタログデータベースを有し、例えば、Ａ社８ＡからＤ社８Ｄの４社すなわち複数社がある。該販売会社８等は独自のシステムを構築し、インターネット回線９を介して各ユーザー１０に接続している。【選択図】図１
2005148871.tif 000002
【特許請求の範囲】
【請求項１】
複数社又は多数社のメーカーから提供された部品を含む間接副資材のカタログ情報を加工又は解析かつ蓄積したカタログデータベースを保存すると共に販売代理店又は販売会社に該データベース情報を出力する大規模総合商社（卸売会社）と、該販売代理店又は販売会社からの部品を含む間接副資材のデータベース情報をインターネット回線を介して発注情報として受信するユーザーとで構成されたことを特徴とする間接副資材の受発注システム。
【請求項２】
複数社又は多数社のメーカーから部品を含む間接副資材のカタログに伴う情報を受ける大規模総合商社（卸売会社）と、該大規模総合商社（卸売会社）からの部品を含む間接副資材の出力情報を加工又は解析かつ蓄積してデータベース化すると共にこれを保存する販売代理店又は販売会社と、該販売代理店又は販売会社からの部品を含む間接副資材のデータベース情報をインターネット回線を介して発注情報として受信するユーザーとで構成されたことを特徴とする間接副資材の受発注システム。
【請求項３】
前記販売代理店又は販売会社８Ａは、間接副資材の仕様データベース８０２、間接副資材の卸品仕様データベース８０３及び間接副資材の部品互換データベース８０４を備えた受注システム８０１を有し、前記ユーザー１０Ａはユーザー端末１０１、その表示装置１０２、入力装置１０３及びＩＣリーダ１０４を備えた発注システムを有したことを特徴とする請求項１又は２記載の間接副資材の受発注システム。
【発明の詳細な説明】
【技術分野】
【０００１】
本発明は、通信ネットワークに接続された各ユーザーの情報機器により簡易な手段でもって各方面の販売会社から間接副資材を合理的な価格で選定しかつ発注できると共に該販売会社へ当該ユーザーからの発注状況をリアルタイムに告知することのできる間接副資材の受発注システムに関するものである。
【背景技術】
【０００２】
従来、この種の商品の受発注システムとしては、特開平１１−３９３９６号公開特許公報に開示した技術がある。これについて図３に基づき説明すれば、商品の発注をするためのユーザーとしての発注クライアント１、商品の発注を受けるメーカーとしての受注クライアント２及び商品の発注状況を登録するデータベースサーバ３はインターネット回線４を介して相互に接続しており、当該データベースサーバ３では、当該商品の発注に関する発注データの登録及び登録されている発注データの提供を受けることがＷＷＷ（Ｗｏｒｌｄ  Ｗｉｄｅ  Ｗｅｂ）上で検索可能であり、ユーザーとしての該発注クライアント１及びメーカーとしての受注クライアント２との間では電子メールの送受信が可能となるように構成されている。
【０００３】
そして、発注端末からデータベース端末への発注データの登録を上記ＷＷＷ上で行なうようにし、該発注端末及び受注端末間では電子メールの送受信を可能とする。そして、該発注端末で商品等の発注をしようとするときは、ＷＷＷブラウザを利用して、データベース端末から与えられた発注データ登録用のＨＴＭＬファイルに登録事項を記述し、かつこのＨＴＭＬファイルをデータベース端末に送信すると共に該発注データ登録用のＨＴＭＬファイルを電子メールに添付して受注端末に送信する。これによりメーカーとしての受注クライアント２は受注状況が明確化する。
【特許文献１】特開平１１−３９３９６号公開特許公報
【発明の開示】
【発明が解決しようとする課題】
【０００４】
上述した従来に於ける商品の受発注システムはユーザー側の発注クライアント１が当該商品を購入する際、その商品の仕様や希望価格等を検討したうえでインターネット回線４を経由して、多数社存在するメーカーとしての受注クライアント２やその他当該商品を取扱う販売会社又はその代理店等に電子メール等で買入れを申し込むものであった。
然るに、これの検索作業に手間を要すると共に適切な受注クライアント２から適切な価格、品質、性能又は機能を備えた商品を選定することは困難を極める上に買入れた後に他の受注クライアント２の商品情報等により当該商品が不適切であることが判明し、再買入れしなければならないという問題点があった。
又一方、受注クライアント２側としても全体としても各社の取扱う製品やその基準が不揃いであり、該受注クライアント２の業界全体として統一されておらず多方面に渉る発注クライアント１のあらゆる要求を満足する商品を迅速に提供することは現実的不可能であるという問題点があった。
更に、上述した従来の商品受発注システムは、その取扱い商品については、例えば、一般的な商品であるパソコン機器やそれに関連するサービスに係るものであって、特殊な作業工具又は雑工具等の間接副資材の提供に伴うシステムに適用できないという問題点があった。
【課題を解決するための手段】
【０００５】
本発明に係る間接副資材の受発注システムは、ユーザーからインターネット回線を利用して簡易なシステムでもって希望する価格、品質又は性能を有する特殊な作業工具等の間接副資材を広範囲の企業群の中から選定でき、該間接副資材を迅速に調達することができるシステムを提供することを目的としたものであって、次の構成、手段から成立する。
【０００６】
請求項１記載の発明によれば、複数社又は多数社のメーカーから提供された部品を含む間接副資材のカタログ情報を加工又は解析かつ蓄積したカタログデータベースを保存すると共に販売代理店又は販売会社に該データベース情報を出力する大規模総合商社（卸売会社）と、該販売代理店又は販売会社からの部品を含む間接副資材のデータベース情報をインターネット回線を介して発注情報として受信するユーザーとで構成されたことを特徴とする。
【０００７】
請求項２記載の発明によれば、複数社又は多数社のメーカーから部品を含む間接副資材のカタログに伴う情報を受ける大規模総合商社（卸売会社）と、該大規模総合商社（卸売会社）からの部品を含む間接副資材の出力情報を加工又は解析かつ蓄積してデータベース化すると共にこれを保存する販売代理店又は販売会社と、該販売代理店又は販売会社からの部品を含む間接副資材のデータベース情報をインターネット回線を介して発注情報として受信するユーザーとで構成されたことを特徴とする。
【０００８】
請求項３記載の発明によれば、請求項１又は２記載の間接副資材の受発注システムであって、前記販売代理店又は販売会社８Ａは、間接副資材の仕様データベース８０２、間接副資材の卸品仕様データベース８０３及び間接副資材の部品互換データベース８０４を備えた受注システム８０１を有し、前記ユーザー１０Ａはユーザー端末１０１、その表示装置１０２、入力装置１０３及びＩＣリーダ１０４を備えた発注システムを有したことを特徴とする。
【発明の効果】
【０００９】
本発明に係る間接副資材の受発注システムは、上述の構成を有するので次の効果がある。
【００１０】
請求項１記載の発明によれば、複数社又は多数社のメーカーから提供された部品を含む間接副資材のカタログ情報を加工又は解析かつ蓄積したカタログデータベースを保存すると共に販売代理店又は販売会社に該データベース情報を出力する大規模総合商社（卸売会社）と、該販売代理店又は販売会社からの部品を含む間接副資材のデータベース情報をインターネット回線を介して発注情報として受信するユーザーとで構成されたことを特徴とする間接副資材の受発注システムを提供する。
このような構成としたので、間接副資材又はその部品を発注元のユーザーはその希望の値段や所定の品質、機能等を有する市販されているあらゆる製品の中からインターネット回線を通じて速やかに合理的に調達でき、作業能率の向上を図るということ及び大規模総合商社（卸売会社）で構築した間接副資材等のカタログデータベースを有効に利用できるという効果がある。
【００１１】
請求項２記載の発明によれば、複数社又は多数社のメーカーから部品を含む間接副資材のカタログに伴う情報を受ける大規模総合商社（卸売会社）と、該大規模総合商社（卸売会社）からの部品を含む間接副資材の出力情報を加工又は解析かつ蓄積してデータベース化すると共にこれを保存する販売代理店又は販売会社と、該販売代理店又は販売会社からの部品を含む間接副資材のデータベース情報をインターネット回線を介して発注情報として受信するユーザーとで構成されたことを特徴とする間接副資材の受発注システムを提供する。
このような構成としたので、間接副資材又はその部品を発注元のユーザーはその希望の値段や所定の品質、機能等を有する市販されているあらゆる製品の中からインターネット回線を通じて速やかに合理的に調達でき、作業能率の向上を図るということ及び販売代理店又は販売会社で構築した間接副資材等のカタログデータベースを有効に利用できるという効果がある。
【００１２】
請求項３記載の発明によれば、前記販売代理店又は販売会社８Ａは、間接副資材の仕様データベース８０２、間接副資材の卸品仕様データベース８０３及び間接副資材の部品互換データベース８０４を備えた受注システム８０１を有し、前記ユーザー１０Ａはユーザー端末１０１、その表示装置１０２、入力装置１０３及びＩＣリーダ１０４を備えた発注システムを有したことを特徴とする請求項１又は２記載の間接副資材の受発注システムを提供する。
このような構成としたので、ユーザー側及び販売代理店又は販売会社側で簡単なシステムを構築でき、実施化が容易となる効果がある。
【発明を実施するための最良の形態】
【００１３】
以下、本発明に係る間接副資材の受発注システムに於ける実施の形態について添付図面に基づき詳細に説明する。
【００１４】
図１は、本発明に係る間接副資材の受発注システムの全体構成を示す図である。本発明は、生産補助材としてのドライバ又はペンチ等の作業工具や雑工具等間接副資材の販売や受発注及びその管理形態に係るものであり、各ユーザーが各販売代理店又は各販売会社の販売システムに通信ネットワークを介してアクセスし、各該販売会社等が提供する例えば、ユーザインターフェスを使用して、所定の品質、性能を有するうえに合理的価格で上記間接副資材を購入するものである。この発明の一つの実施の形態としては、当該各販売会社等と各ユーザーとの間で間接副資材やその部品の販売案件が発生した際に、該各販売会社の受注システムと各ユーザーの発注システムの間でやり取りする通信フォーマットに関するものである。
【００１５】
５は、Ａ社５Ａ、Ｂ社５Ｂ、Ｃ社５Ｃ、Ｄ社５Ｄ、Ｅ社５Ｅ及びＦ社５Ｆから構成される各メーカーであって、間接副資材やその部品等を生産し、これを販売する会社等である。
当該各メーカー５は完成品又は半製品等種々の形態で当該間接副資材に係る一切の製品を生産するものであって、下請会社もこれに包含する。
【００１６】
６は、上記各メーカー５が生産する間接副資材やその部品に関し印刷物、特にカタログにしたものをデータとして保存するカタログデータベースであり、上記各メーカー５が取扱う各社、各種の膨大な情報に基づき、これを加工し、分析かつ解析し情報として蓄積データとして保存している。従って、間接副資材としての新製品を新規に生産すれば、新規情報として新たに蓄積加工される。
【００１７】
７は、間接副資材やその部品に係る製品を各メーカー５から依頼を受けて取扱う大規模総合商社、つまり卸売会社であって、例えば「アズワン」「日伝」「山善」等である。該大規模総合商社７は上記カタログデータベース６から、例えば、各種市販されているパソコン等の情報機器やＰＤＡ（情報端末器）又は携帯電話等でリアルタイムに各メーカー５から生産された新製品を含む各種の間接副資材又はその部品等の情報を入手する。
尚、上記カタログデータベース６は各メーカー５側でデータの作成、処理及び加工をする場合、該メーカー５側に備えているが、上記大規模総合商社７すなわち卸売会社側で各メーカー５からの製品情報を得て、これを加工、処理及び蓄積して各大規模総合商社７が共有する場合には該大規模総合商社７側に備えることが便利となる。当該カタログベース６の重要性や本システムの効率化又は保存管理の便宜性から第三者機関に設置してもよい。そして、この設置場所はデータの加工や解析又は蓄積作業等の合理性や便宜性及び安全性の見地から決定する。
【００１８】
８は、当該間接副資材又はその部品に係る情報を大規模総合商社７つまり卸売会社から得て各ユーザー１０、特にエンドユーザーの発注に応じて当該間接副資材やその部品等を販売する販売代理店や販売会社であって、例えば、Ａ社８ＡからＤ社８Ｄの４社すなわち複数社がある。該販売会社８等は独自のシステムを構築し、インターネット回線９を介して各ユーザー１０に接続している。該ユーザー１０は例えば、Ａ社１０Ａ、Ｂ社１０Ｂ、Ｃ社１０Ｃ、Ｄ社１０Ｄの４社を挙げたがこれに限定されず多数社が加わるものとする。
【００１９】
而して、上記ユーザー１０の各社Ａ社１０Ａ、Ｂ社１０Ｂ、Ｃ社１０Ｃ、Ｄ社１０Ｄのいずれかの各社は例えば、小型ペンチや把手部の径廻りが大きいプラスドライバー等の作業工具である間接副資材を購入する場合、自前の簡易型情報機器又はＰＤＡ（情報端末器）により、インターネット回線９を介して販売代理店又は販売会社８のデータベースを共有化した情報機器に当該発注信号を送信する。これにより販売代理店又は該販売会社８はこの発注信号を下に、受信の旨を前記ユーザー１０の各社１０ＡないしＤ社１０Ｄの発注該当企業に伝達すると共に、該発注企業が要望する仕様や部品に適合した上記作業工具を納品する。このように多種多量な発注企業の要望にも迅速にリアルタイムに取引を実現する作用を奏する。
【実施例】
【００２０】
次に、図２に基づき、本発明に係る間接副資材の受発注システムに於ける実施例について説明する。
【００２１】
当該実施例は例えば、ユーザー１０の各社のうちＡ社１０Ａに備えた情報機器等の受注システムの一例を示し、また、販売代理店又は販売会社８の各社のうちＡ社８Ａに備えた情報機器等の発注システムの一例を示すものであって、インターネット回線９を介して、互いに交信し、間接副資材又はその部品の商取引を成立させる構成となっている。
【００２２】
上記ユーザー１０のＡ社１０Ａは、例えば、間接副資材は、その部品を受注企業である販売代理店又は販売会社に発注するための自前のシステムを備えている。
該発注システムは、例えば、情報機器又は携帯情報端末（ＰＤＡ）でなるユーザー端末１０１、該ユーザー端末１０１の表示装置１０２、入力装置１０３、及びＩＣリーダ１０４で構成されている。そしてこの発注システムはＡ社１０Ａ以外の各社Ｂ社１０ＢないしＤ社１０Ｄの共用としてもよく、全体を単一の発注システムで構築することもできる。このＩＣリーダ１０４は、ＩＣコードアンテナより読み取られた間接副資材又はその部品に係るＩＣコード番号をホスト装置に伝達するための機器である。そして、該ＩＣリーダ１０４は、ＩＣタグ情報取得手段として、該ユーザー１０Ａが所有する現有情報機器からＩＣタグデータを取得し、該ＩＣタグデータを用いて例えば、間接副資材の製品個体データベースを検索することにより後述する受注企業、すなわち、販売代理店又は販売会社８Ａから間接副資材又はその部品に関する種々な情報を得ることとしてもよい。
【００２３】
上記販売代理店又は販売会社８のＡ社８Ａは例えば、間接副資材又はその部品を発注元であるユーザー１０のＡ社１０Ａに納品するため及び発注状況をリアルタイムに検出するための自前の販売会社の受注システム８０１を備えている。
そして、該販売会社の受注システム８０１は当該間接副資材又はその部品の受注を受けるためのシステムであって、その受信信号を下に、インターネット回線９を介して、前記ユーザーＡ社１０Ａの発注システムにその旨を送信する。
【００２４】
８０２は、間接副資材の仕様データベース、８０３は、間接副資材の部品の仕様データベース、８０４は、間接副資材の部品互換データベースであり、上記販売会社の受注システム８０１に備えている。上記各データベース８０２、８０３及び８０４は新規な間接副資材又はその部品が新たに加わる場合や販売を廃止する場合等に対処し、常に新規加工又は解析し更にこれを最新のデータとして蓄積している。
従って、発注元のユーザー１０の各社は必要とする特殊な作業工具や雑工具の所定以下の価格又は軽量な作業工具等の間接副資材を受注企業としての販売代理店又は販売会社８の各社にインターネット回線９を利用して発注すれば、その発注通信信号が、販売会社の受注システム８０１等にリアルタイムに伝送され速やかに該販売代理店又は販売会社８Ａから納品を受けることとなる。
また、上記販売会社８Ａの受注システム８０１は各データベース８０２ないし８０４を含む構成は複数社で共用してもよく、全体を単一の受注システムとして構築することもできる。
【００２５】
尚、ユーザー１０と販売代理店又は販売会社８とは別のシステムを構築し、図１又は図２のシステムを改変して、納品を伴う代金支払いシステムを追加してもよい。当該代金の中には、間接副資材等の製品対価や販売手数料又は仲介手数料であって、該製品対価とは、ユーザー１０から販売代理店又は販売会社８から受け取った値段であり、仲介手数料とはメーカー５が生産した間接副資材等を販売したことに対して販売代理店又は販売会社８へ支払う手数料である。
【図面の簡単な説明】
【００２６】
【図１】本発明に係る間接副資材の受発注システムの実施の形態を示す全体構成図である。
【図２】本発明に係る間接副資材の受発注システムの実施例に基づくユーザー及び販売代理店又は販売会社に備えたシステム内の構成要素を示す構成図である。
【図３】従来の商品受発注システムの例を示す構成図である。
【符号の説明】
【００２７】
５      メーカー
５Ａ    メーカーＡ社
５Ｂ    メーカーＢ社
５Ｃ    メーカーＣ社
５Ｄ    メーカーＤ社
５Ｅ    メーカーＥ社
５Ｆ    メーカーＦ社
６      カタログデータベース
７      大規模総合商社（卸売会社）
８      販売代理店（販売会社）
８Ａ    販売代理店（販売会社）Ａ社
８Ｂ    販売代理店（販売会社）Ｂ社
８Ｃ    販売代理店（販売会社）Ｃ社
８Ｄ    販売代理店（販売会社）Ｄ社
８０１  販売会社の受注システム
８０２  間接副資材の仕様データベース
８０３  間接副資材の部品データベース
８０４  間接副資材の互換データベース
９      インターネット回線
１０    ユーザー
１０Ａ  ユーザーＡ社
１０Ｂ  ユーザーＢ社
１０Ｃ  ユーザーＣ社
１０Ｄ  ユーザーＤ社
１０１  ユーザー端末
１０２  ユーザーの表示装置
１０３  入力装置
１０４  ＩＣリーダ
【図１】
2005148871.tif 000003
【図２】
2005148871.tif 000004
【図３】
2005148871.tif 000005